(57)【要約】【課題】外部機器との間で電力授受に係る通信をより確実に行うことができる、画像処理装置を提供する。【解決手段】通常モードでは、ＰＲＴ／ＦＢコントローラ２１が動作し、省電力モードでは、ＰＲＴ／ＦＢコントローラ２１が動作しない。通常モードでは、第１経路切替部２３により、ＰＲＴ／ＦＢコントローラ２１と第１経路切替部２３との間に通信経路が形成されて、ＰＲＴ／ＦＢコントローラ２１と第１ＵＳＢコネクタ１５Ｆとが通信可能に接続される。省電力モードでは、第１経路切替部２３により第１経路切替部２３とＰＤコントローラ２２および第２経路切替部２４との間に通信経路が形成されて、第２経路切替部２４と第１ＵＳＢコネクタ１５ＦとがＰＲＴ／ＦＢコントローラ２１を経由せずに通信可能に接続される。【選択図】図２
2019147273.tif 000002
【特許請求の範囲】
【請求項１】
電源部と、
外部機器を接続可能な第１ＵＳＢ接続部と、
前記第１ＵＳＢ接続部に接続された前記外部機器との間の通信を制御する第１コントローラであって、前記通信は画像データに係る通信と前記外部機器との電力授受に係る通信とを含む、前記第１コントローラと、
前記電源部から前記第１ＵＳＢ接続部に接続された前記外部機器への電力供給を、前記外部機器との電力授受に係る通信により取得した情報に基づいて制御する第２コントローラと、
第１経路切替部であって、
前記第１コントローラが動作する第１電力モードにおいて、前記第１コントローラと前記第１ＵＳＢ接続部とを接続する第１通信経路を形成し、
前記第１コントローラが停止状態にある第２電力モードにおいて、前記第２コントローラと前記第１ＵＳＢ接続部とを前記第１コントローラを経由せずに接続する第２通信経路を形成する前記第１経路切替部と
を備える、画像処理装置。
【請求項２】
請求項１に記載の画像処理装置であって、
前記第２コントローラは、前記電源部からの電力供給量を切替える、
画像処理装置。
【請求項３】
請求項２に記載の画像処理装置であって、
前記第２コントローラは、ＰＤコントローラを含む、
画像処理装置。
【請求項４】
請求項１から請求項３のいずれか一項に記載の画像処理装置であって、
外部機器を接続可能な第２ＵＳＢ接続部をさらに備え、
前記第２コントローラは、前記電源部から前記第２ＵＳＢ接続部に接続された前記外部機器への電力供給を、前記電力授受に係る通信により取得した情報に基づいて制御する、
画像処理装置。
【請求項５】
請求項４に記載の画像処理装置であって、
前記電源部は、前記第１ＵＳＢ接続部に接続された前記外部機器及び前記第２ＵＳＢ接続部に接続された外部機器との間のバスパワーの授受を中継する、
画像処理装置。
【請求項６】
請求項４に記載の画像処理装置であって、
前記第２コントローラと通信可能に接続され、前記第２ＵＳＢ接続部を介して前記外部機器と通信可能な第２経路切替部をさらに備え、
前記第２経路切替部は、
前記第１電力モードにおいて、前記第１コントローラと通信可能な第３経路を形成し、
前記第２電力モードにおいて、前記第１経路切替部と通信可能な第４経路を形成する
画像処理装置。
【請求項７】
請求項１から請求項６のいずれか一項に記載の画像処理装置であって、
前記第１コントローラは、前記第１電力モードから前記第２電力モードに切り替わるときに、前記第１電力モードから前記第２電力モードに切り替わることを前記第１経路切替部に通知する、
画像処理装置。
【請求項８】
請求項７に記載の画像処理装置であって、
前記第１経路切替部は、前記第１電力モードから前記第２電力モードへの切り替わりの通知を受けたことに応じて、前記第１通信経路を形成している状態から前記第２通信経路を形成する状態に切り替わり、前記第２コントローラを介して前記電源部を制御し、前記電源部から前記第１コントローラへの電力の供給を停止する、
画像処理装置。
【請求項９】
請求項８に記載の画像処理装置であって、
操作を受け付ける操作部を備え、
前記第１経路切替部は、前記第１コントローラへの電力の供給が停止されている状態で前記操作部に操作が受け付けられたことに応じて、前記第２通信経路を形成している状態から前記第１通信経路を形成する状態に切り替わり、その切り替わりを前記第１コントローラに通知する、
画像処理装置。
【請求項１０】
請求項８または９に記載の画像処理装置であって、
前記第１経路切替部は、前記第２ＵＳＢ接続部に接続された前記外部機器が前記画像処理装置に対してホストになる場合に、前記第１通信経路を形成している状態から前記第２通信経路を形成する状態に切り替わった後、外部機器との接続のための手順を開始する、
画像処理装置。
【請求項１１】
請求項１から１０のいずれか一項に記載の画像処理装置であって、
画像データを処理する処理部を更に備え、
前記第１コントローラは、前記第１電力モードにおいて、前記処理部による処理を制御する、
画像処理装置。
【発明の詳細な説明】
【技術分野】
【０００１】
本発明は、画像処理装置に関する。
【背景技術】
【０００２】
ＭＦＰ（Ｍｕｌｔｉ−Ｆｕｎｃｔｉｏｎ  Ｐｅｒｉｐｈｅｒａｌ）などの画像処理装置には、通常、各部に動作電力を供給する通常モードと、画像を読み取る読取部などへの動作電力の供給を停止する省電力モードとが設けられている。たとえば、通常モードで各部の動作が停止した状態が所定時間継続すると、通常モードから省電力モードに移行して、省電力化が図られる。
【０００３】
画像処理装置には、外部機器とのインタフェースの１つとして、ＵＳＢ（Ｕｎｉｖｅｒｓａｌ  Ｓｅｒｉａｌ  Ｂｕｓ）インタフェースを備えたものがある。ＵＳＢインタフェースは、機器間のデータ通信のみだけでなく、スマートフォンやタブレットなどの電力供給対象の機器への電力供給が可能である。最近では、ＵＳＢパワーデリバリ（ＵＳＢ  Ｐｏｗｅｒ  Ｄｅｌｉｖｅｒｙ）規格により、ＵＳＢインタフェースから電力供給対象の機器に最大１００Ｗの電力を供給することができる。ＵＳＢパワーデリバリＵＳＢ規格に対応した画像処理装置は、ＵＳＢインタフェースから供給する電力量を制御するＰＤコントローラを有している。
【０００４】
通常モードでは、画像処理装置の各部に動作電力が供給されているので、ＵＳＢインタフェースに電力供給対象の機器が接続されると、ＰＤコントローラがＣＰＵを介してＵＳＢインタフェースに接続された機器と必要な通信が行われて、その機器に電力が供給される。しかしながら、ＵＳＢインタフェースに電力供給対象の機器が接続されたときに、画像処理装置が省電力モードである場合、ＣＰＵへの動作電力の供給が停止されていると、ＰＤコントローラがＵＳＢインタフェースに接続された機器と必要な通信を行うことができず、その機器に電力を供給することができない。
【先行技術文献】
【特許文献】
【０００５】
【特許文献１】特開２０１５−１７４３７３号公報
【発明の概要】
【発明が解決しようとする課題】
【０００６】
本発明の目的は、外部機器との間で電力授受に係る通信をより確実に行うことができる、画像処理装置を提供することである。
【課題を解決するための手段】
【０００７】
前記の目的を達成するため、本発明に係る画像処理装置は、電源部と、外部機器を接続可能な第１ＵＳＢ接続部と、第１ＵＳＢ接続部に接続された外部機器との間の通信を制御する第１コントローラであって、通信は画像データに係る通信と外部機器との電力授受に係る通信とを含む、第１コントローラ（ＰＲＴ／ＦＢ  Ｃｏｎｔｒｏｌｌｅｒ）と、電源部から第１ＵＳＢ接続部に接続された外部機器への電力供給を、外部機器との電力授受に係る通信により取得した情報に基づいて制御する第２コントローラ（ＰＤ  Ｃｏｎｔｒｏｌｌｅｒ）と、第１経路切替部であって、第１コントローラが動作する第１電力モードにおいて、第１コントローラと第１ＵＳＢ接続部とを接続する第１通信経路を形成し、第１コントローラが停止状態にある第２電力モードにおいて、第２コントローラと第１ＵＳＢ接続部とを第１コントローラを経由せずに接続する第２通信経路を形成する第１経路切替部（Ｄｉｒｅｃｔｉｏｎ  Ｓｗｉｔｃｈ）とを備える。
【０００８】
この構成によれば、第１電力モードでは、第１コントローラが動作し、第２電力モードでは、第１コントローラが動作しない。
【０００９】
第１電力モードでは、第１経路切替部により第１経路が形成されて、第１コントローラと第１ＵＳＢ接続部とが通信可能に接続される。そのため、第１コントローラが動作することにより、第１コントローラと第１外部機器とが第１ＵＳＢ接続部を介して必要な通信を行うことができる。第２電力モードでは、第１コントローラが動作しないので、第１コントローラと第１ＵＳＢ接続部とが通信可能に接続されても、第１コントローラと第１外部機器とが必要な通信を行うことができない。そこで、第２電力モードでは、第１経路切替部により第２経路が形成されて、第２コントローラと第１ＵＳＢ接続部とが第１コントローラを経由せずに通信可能に接続される。そのため、第２コントローラが動作することにより、第２コントローラと第１外部機器とが第１ＵＳＢ接続部を介して必要な通信を行うことができる。
【００１０】
よって、第１コントローラに動作電力が供給される第１電力モードでは、第１コントローラが第１ＵＳＢ接続部に接続された第１外部機器と必要な通信を行うことができ、第１コントローラへの動作電力の供給が停止する第２電力モードにおいても、第１外部機器と必要な通信を行うことができる。その結果、第１ＵＳＢ接続部を介して外部機器と電力授受に係る通信をより確実に行うことができる。
【発明の効果】
【００１１】
本発明によれば、外部機器との間で電力授受に係る通信を確実に行うことができる。
【図面の簡単な説明】
【００１２】
【図１】本発明の一実施形態に係るＭＦＰの電気的構成を示すブロック図であり、通常モードの状態を示す。
【図２】ＭＦＰの電気的構成を示すブロック図であり、省電力モードの状態を示す。
【図３】ＰＲＴ／ＦＢコントローラが実行する通常モード時処理の流れを示すフローチャートである。
【図４】第１経路切替部が実行する通常モード時処理の流れを示すフローチャートである。
【図５】第１経路切替部が実行する通信制御処理の流れを示すフローチャートである。
【図６】第１経路切替部が実行する省電力モード時処理の流れを示すフローチャートである。
【図７】ＰＲＴ／ＦＢコントローラが実行する省電力モード時処理の流れを示すフローチャートである。
【発明を実施するための形態】
【００１３】
以下では、本発明の実施の形態について、添付図面を参照しつつ詳細に説明する。
【００１４】
＜ＭＦＰの電気的構成＞
図１および図２に示される画像処理装置の一例であるＭＦＰ（Ｍｕｌｔｉ−Ｆｕｎｃｔｉｏｎ  Ｐｅｒｉｐｈｅｒａｌ）１は、画像形成部１１、画像読取部１２、操作部１３、表示部１４、第１ＵＳＢ（Ｕｎｉｖｅｒｓａｌ  Ｓｅｒｉａｌ  Ｂｕｓ）コネクタ１５Ｆ、第２ＵＳＢコネクタ１５Ｒ、電源回路１６および制御部１７を備えている。
【００１５】
画像形成部１１（処理部の一例）は、ＭＦＰ１の外殻をなす筐体内に設けられている。画像形成部１１は、筐体内の搬送経路に沿って１枚ずつ搬送される印刷用紙などのシートにカラー画像またはモノクロ画像を印刷するよう構成されている。印刷の方式は、電子写真方式であってもよいし、インクジェット方式であってもよい。
【００１６】
画像読取部１２は、イメージセンサ及びＡＦＥ（Ａｎａｌｏｇ  Ｆｒｏｎｔ  Ｅｎｄ）などを備えている。画像読取部１２では、イメージセンサにより画像が読み取られて、イメージセンサからアナログ画像信号が出力され、ＡＦＥによりそのアナログ画像信号がデジタル画像データに変換される。
【００１７】
操作部１３および表示部１４は、たとえば、筐体の前面に設けられている。操作部１３および表示部１４は、個別に設けられていてもよいが、タッチパネルを構成していてもよい。タッチパネルを構成する表示部１４は、液晶ディスプレイからなり、各種の情報や操作キーなどの画像を表示する。ユーザが表示部１４に表示される操作キーを押操作（タッチ操作）することにより、その操作が操作部１３に受け付けられて、その操作の内容に応じた信号（データ）が操作部１３から出力される。以下では、操作部１３および表示部１４がタッチパネルを構成する場合を前提とする。
【００１８】
第１ＵＳＢコネクタ１５Ｆ（第１ＵＳＢ接続部の一例）は、筐体における操作部１３および表示部１４が配置された前面（パネルサイド）に設けられている。第２ＵＳＢコネクタ１５Ｒ（第２ＵＳＢ接続部の一例）は、たとえば、筐体の後面（リヤサイド）に設けられている。第１ＵＳＢコネクタ１５Ｆおよび第２ＵＳＢコネクタ１５Ｒは、いずれもＴｙｐｅ−Ｃのレセプタクル（メス）であり、プラグ（オス）の受入口が筐体から外部に露出するように配置されている。第１ＵＳＢコネクタ１５Ｆおよび第２ＵＳＢコネクタ１５Ｒは、ＶＢＵＳ端子、Ｄ＋通信端子、Ｄ−通信端子、ＴＸ送信端子、ＲＸ受信端子およびＣＣ（Ｃｏｎｆｉｇｕｒａｔｉｏｎ  Ｃｈａｎｎｅｌ）端子などを有している。
【００１９】
電源回路１６は、複数の出力端子を備えており、出力端子の１つは、給電線１８を介して、第２ＵＳＢコネクタ１５ＲのＶＢＵＳ端子と接続されている。給電線１８には、スイッチング素子１９が介装されている。スイッチング素子１９は、たとえば、Ｎチャネル型のＭＯＳＦＥＴからなり、そのドレイン端子が給電線１８に接続され、ソース端子が抵抗を介して接地されている。スイッチング素子１９は、ゲート端子に入力される電圧により、スイッチング動作（オン／オフ）する。また、出力端子の他の１つは、給電線１８と同様にスイッチング素子が介装された給電線（図示せず）を介して、第１ＵＳＢコネクタ１５ＦのＶＢＵＳ端子と接続されている。
【００２０】
制御部１７は、画像形成部１１および画像読取部１２を制御するＰＲＴ／ＦＢコントローラ２１（第１コントローラの一例）と、電源回路１６から各部への電力の供給を制御するＰＤコントローラ２２（第２コントローラの一例）と、第１ＵＳＢコネクタ１５Ｆと第２ＵＳＢコネクタ１５Ｒとの間での通信の経路を切り替える第１経路切替部２３および第２経路切替部２４（第２コントローラの一例）とを備えている。ＰＲＴ／ＦＢコントローラ２１、ＰＤコントローラ２２、第１経路切替部２３および第２経路切替部２４は、いずれもＩＣ（Ｉｎｔｅｇｒａｔｅｄ  Ｃｉｒｃｕｉｔ）たとえば、Ｉ２Ｃ（Ｉｎｔｅｒ−Ｉｎｔｅｇｒａｔｅｄ  Ｃｉｒｃｕｉｔ）方式により相互にシリアル通信に接続されている。ＰＲＴ／ＦＢコントローラ２１は、第１ＵＳＢコネクタ１５Ｆに接続された外部機器との通信を制御する機能も有している。また、ＰＤコントローラ２２は、第２ＵＳＢコネクタ１５Ｒに接続された外部機器との通信を制御する機能も有している。
【００２１】
＜モード遷移処理＞
ＭＦＰ１は、電力消費モードとして、通常モード（第１電力モードの一例）および省電力モード（第２電力モードの一例）が設定されている。
【００２２】
ＭＦＰ１の電源がオフの状態からオンされると、電力消費モードが通常モードにされる。通常モードでは、商用交流電源ＡＣから電源基板（図示せず）に供給される交流電力が直流電力に変換され、その直流電力が電源回路１６を介してＰＲＴ／ＦＢコントローラ２１およびＰＤコントローラ２２を含む各部に供給される。
【００２３】
通常モードにおいて、ＰＲＴ／ＦＢコントローラ２１は、図３に示される通常モード時処理を実行する。図３に示される通常モード時処理では、ＰＲＴ／ＦＢコントローラ２１は、通常モードから省電力モードに移行する条件が成立したか否かを判別する（Ｓ１１）。
【００２４】
通常モードから省電力モードに移行する条件の１つである省電力移行条件１は、操作部１３の最後の操作が終了した時点、最後の印刷動作が終了した時点または最後の画像読取動作が終了した時点のうちの最も遅い時点から所定時間が経過したという条件である。この省電力移行条件１が成立した場合、ＰＲＴ／ＦＢコントローラ２１は、第１経路切替部２３に省電力モードへの移行を通知する（Ｓ１２）。その後、ＰＲＴ／ＦＢコントローラ２１は、通常モードから省電力モードに移行する準備を開始する（Ｓ１３）。
【００２５】
通常モードから省電力モードに移行する条件の他の１つである省電力移行条件２は、第１経路切替部２３から省電力モードへの移行の通知があったという条件である。省電力移行条件２が成立した場合、ＰＲＴ／ＦＢコントローラ２１は、その成立に応じて、通常モードから省電力モードに移行する準備を開始する（Ｓ１３）。省電力モードへの移行準備では、ＰＲＴ／ＦＢコントローラ２１は、ＰＲＴ／ＦＢコントローラ２１に内蔵されている揮発性メモリに保持されているデータを不揮発性メモリに移動させる。また、ＰＲＴ／ＦＢコントローラ２１は、画像形成部１１、画像読取部１２、表示部１４への電力の供給を遮断するよう電源回路１６を制御する。
【００２６】
その後、通常モードから省電力モードに移行する準備が完了すると、ＰＲＴ／ＦＢコントローラ２１は、省電力モードに移行する準備が完了したことを第１経路切替部２３に通知する（Ｓ１４）。
【００２７】
一方、第１経路切替部２３は、通常モードにおいて、図３に示される通常モード時処理を実行する。図３に示される通常モード時処理では、第１経路切替部２３は、通常モードから省電力モードに移行する条件が成立したか否かを判別する（Ｓ２１）。
【００２８】
通常モードから省電力モードに移行する条件の１つである省電力移行条件３は、操作部１３の操作により省電力モードへの移行の指示が入力されたという条件である。省電力移行条件３が成立した場合、第１経路切替部２３は、ＰＲＴ／ＦＢコントローラ２１に省電力モードへの移行を通知する（Ｓ２２）。その後、第１経路切替部２３は、ＰＲＴ／ＦＢコントローラ２１から省電力モードに移行する準備が完了したことの通知を受けたか否かを判別する（Ｓ２３）。
【００２９】
通常モードから省電力モードに移行する条件の他の１つである省電力移行条件４は、ＰＲＴ／ＦＢコントローラ２１から省電力モードへの移行の通知があったという条件である。省電力移行条件４が成立した場合、第１経路切替部２３は、その成立に応じて、ＰＲＴ／ＦＢコントローラ２１から省電力モードに移行する準備が完了したことの通知を受けたか否かを判別する（Ｓ２３）。
【００３０】
その後、第１経路切替部２３は、第１経路切替部２３内に設けられているセレクタの設定を行う（Ｓ２４）。セレクタは、第１経路切替部２３との通信の相手先を切り替えるものである。このとき、第１経路切替部２３は、第１経路切替部２３との通信の相手先をＰＲＴ／ＦＢコントローラ２１からＰＤコントローラ２２および第２経路切替部２４に切り替える設定を行う。これにより、図２に示されるように、第１ＵＳＢコネクタ１５Ｆに接続される外部機器と第２ＵＳＢコネクタ１５Ｒに接続される外部機器との間での通信が可能になり、また、ＰＤコントローラ２２と第１経路切替部２３との間での通信が可能になる。このセレクタの設定が行われた後、ＰＲＴ／ＦＢコントローラ２１は、自身への電力の供給が遮断されるよう電源回路１６を制御する。
【００３１】
第１経路切替部２３は、省電力モードにおいて、第１ＵＳＢコネクタ１５Ｆに接続される外部機器と第２ＵＳＢコネクタ１５Ｒに接続される外部機器との間での通信のための第２経路切替部２４の制御を開始する（Ｓ２５）。
【００３２】
また、第１経路切替部２３は、第１ＵＳＢコネクタ１５Ｆに接続される外部機器への電力の供給（パワーデリバリ）のためのＰＤコントローラ２２の制御を開始する（Ｓ２６）。
【００３３】
そして、第２ＵＳＢコネクタ１５ＲにＵＳＢ通信のホストとなる外部機器、たとえば、ＰＣ（Ｐｅｒｓｏｎａｌ  Ｃｏｍｐｕｔｅｒ）が接続されている場合には、第１経路切替部２３は、その外部機器との接続のためのシーケンスを実行する（Ｓ２７）。
【００３４】
また、第１経路切替部２３は、図５に示される通信制御処理を実行する。通信制御処理は、第１経路切替部２３は、第１ＵＳＢコネクタ１５Ｆに接続された外部機器から第１ＵＳＢコネクタ１５ＦのＣＣ端子を経由する通信（ＣＣ通信）があると（Ｓ３１：ＹＥＳ）、現在が通常モード中であるか否かを判別する（Ｓ３２）。
【００３５】
現在が通常モード中である場合（Ｓ３２：ＹＥＳ）、第１経路切替部２３の通信の相手先がＰＲＴ／ＦＢコントローラ２１に設定されているので、第１経路切替部２３は、ＰＲＴ／ＦＢコントローラ２１とＣＣ信号を送受する（Ｓ３３）。そして、第１経路切替部２３は、第１ＵＳＢコネクタ１５ＦにＵＳＢ通信のデバイスとなる外部機器、たとえば、ＵＳＢメモリまたはスマートフォンなどが接続されている場合、その外部機器との間でデータの送受信を行う。また、外部機器から電力の供給が要求される場合には、第１経路切替部２３は、その電力供給の要求をＰＲＴ／ＦＢコントローラ２１に送信する。これを受けて、ＰＲＴ／ＦＢコントローラ２１がＰＤコントローラ２２にＩ２Ｃコマンドを送信し、ＰＤコントローラ２２が電源回路１６および電源回路１６と第１ＵＳＢコネクタ１５Ｆとを接続する給電線に介装されたスイッチング素子をオンにすることにより、第１ＵＳＢコネクタ１５Ｆに接続されている外部機器に電力が供給される。
【００３６】
現在が通常モードではない場合、つまり省電力モードである場合（Ｓ３２：ＮＯ）、第１経路切替部２３の通信の相手先がＰＤコントローラ２２および第２経路切替部２４に設定されているので、第１経路切替部２３は、第２経路切替部２４とＣＣ信号を送受する（Ｓ３４）。これにより、第１ＵＳＢコネクタ１５ＦにＵＳＢ通信のデバイスとなる外部機器が接続され、第２ＵＳＢコネクタ１５ＲにＵＳＢ通信のホストとなる外部機器が接続されている場合には、第２経路切替部２４が第１ＵＳＢコネクタ１５Ｆに接続されている外部機器と第２ＵＳＢコネクタ１５Ｒに接続されている外部機器との間での通信を制御する。また、第１ＵＳＢコネクタ１５Ｆに接続されている外部機器から電力の供給が要求される場合には、第１経路切替部２３が電力供給のＩ２Ｃコマンドを生成する（Ｓ３５）。そして、第１経路切替部２３がＰＤコントローラ２２にＩ２Ｃコマンドを送信し（Ｓ３６）、ＰＤコントローラ２２が電源回路１６および電源回路１６と第１ＵＳＢコネクタ１５Ｆとを接続する給電線に介装されたスイッチング素子をオンにすることにより、第１ＵＳＢコネクタ１５Ｆに接続されている外部機器に電力が供給される。
【００３７】
また、省電力モードにおいて、第１経路切替部２３は、図６に示される省電力モード時処理を実行する。図６に示される省電力モード時処理では、第１経路切替部２３は、操作部１３の操作による省電力モードから通常モードへの復帰を指示するキー入力があったかを判別する（Ｓ４１）。
【００３８】
復帰を指示するキー入力があると（Ｓ４１：ＹＥＳ）、第１経路切替部２３は、ＰＤコントローラ２２を介して電源回路１６を制御し（Ｓ４２）、電源回路１６から画像形成部１１、画像読取部１２、表示部１４およびＰＲＴ／ＦＢコントローラ２１への電力の供給を開始させる。また、第１経路切替部２３は、第２経路切替部２４による第１ＵＳＢコネクタ１５Ｆに接続される外部機器と第２ＵＳＢコネクタ１５Ｒに接続される外部機器との間での通信の制御を終了させる（Ｓ４３）。
【００３９】
その後、第１経路切替部２３は、セレクタの設定により、第１経路切替部２３との通信の相手先をＰＤコントローラ２２および第２経路切替部２４からＰＲＴ／ＦＢコントローラ２１に切り替える（Ｓ４４）。そして、第１経路切替部２３は、ＰＲＴ／ＦＢコントローラ２１に通信の相手先の切り替えの完了を通知する（Ｓ４５）。
【００４０】
省電力モードにおいて、ＰＲＴ／ＦＢコントローラ２１は、電源回路１６からの電力の供給が再開されると（Ｓ５１：ＹＥＳ）、復帰のための起動シーケンスを実行する（Ｓ５２）。
【００４１】
そして、ＰＲＴ／ＦＢコントローラ２１は、第１経路切替部２３から通信の相手先の切り替えの完了通知を受け取ると（Ｓ５３：ＹＥＳ）、第２ＵＳＢコネクタ１５ＲにＵＳＢ通信のホストとなる外部機器が接続されている場合には、その外部機器との接続のためのシーケンスを実行する（Ｓ５４）。その後、ＰＲＴ／ＦＢコントローラ２１は、通常動作を行う。
【００４２】
＜作用効果＞
以上のように、通常モードでは、ＰＲＴ／ＦＢコントローラ２１が動作し、省電力モードでは、ＰＲＴ／ＦＢコントローラ２１が動作しない。
【００４３】
通常モードでは、第１経路切替部２３により、ＰＲＴ／ＦＢコントローラ２１と第１経路切替部２３との間に通信経路が形成されて、ＰＲＴ／ＦＢコントローラ２１と第１ＵＳＢコネクタ１５Ｆとが通信可能に接続される。そのため、ＰＲＴ／ＦＢコントローラ２１が動作することにより、ＰＲＴ／ＦＢコントローラ２１と外部機器とが第１ＵＳＢコネクタ１５Ｆを介して必要な通信を行うことができる。省電力モードでは、ＰＲＴ／ＦＢコントローラ２１が動作しないので、ＰＲＴ／ＦＢコントローラ２１と第１ＵＳＢコネクタ１５Ｆとが通信可能に接続されても、ＰＲＴ／ＦＢコントローラ２１と第１外部機器とが必要な通信を行うことができない。そこで、省電力モードでは、第１経路切替部２３により第１経路切替部２３とＰＤコントローラ２２および第２経路切替部２４との間に通信経路が形成されて、第２経路切替部２４と第１ＵＳＢコネクタ１５ＦとがＰＲＴ／ＦＢコントローラ２１を経由せずに通信可能に接続される。そのため、第２経路切替部２４が動作することにより、第２経路切替部２４と第１外部機器とが第１ＵＳＢコネクタ１５Ｆを介して必要な通信を行うことができる。
【００４４】
よって、ＰＲＴ／ＦＢコントローラ２１に動作電力が供給される通常モードでは、ＰＲＴ／ＦＢコントローラ２１が第１ＵＳＢコネクタ１５Ｆに接続された外部機器と必要な通信を行うことができ、ＰＲＴ／ＦＢコントローラ２１への動作電力の供給が停止する省電力モードにおいても、第１ＵＳＢコネクタ１５Ｆに接続された外部機器と必要な通信を行うことができる。その結果、第１ＵＳＢコネクタ１５Ｆを介して外部機器と電力授受に係る通信をより確実に行うことができる。
【００４５】
＜変形例＞
以上、本発明の一実施形態について説明したが、本発明は、他の形態で実施することもできる。
【００４６】
たとえば、電源回路１６は、第１ＵＳＢコネクタ１５Ｆおよび第２ＵＳＢコネクタ１５Ｒにそれぞれ接続された外部機器に電力（バスパワー）を供給する構成に加えて、スイッチング電源およびＤＣ／ＤＣコンバータを含む構成であってもよい。スイッチング電源は、商用交流電源ＡＣから一対の給電線を介して供給される交流電圧を直流電圧に変換するものであり、ダイオードブリッジ、トランスおよび整流平滑回路などを備えている。スイッチング電源は、たとえば、２４Ｖの直流電圧を出力する。ＤＣ／ＤＣコンバータは、リニアレギュレータなどを備え、スイッチング電源から出力される直流電圧を降圧する。
【００４７】
本発明は、ＭＦＰ１に限らず、画像形成部１１を備え、画像読取部１２を備えていない単機能プリンタに適用されてもよいし、画像形成部１１を備えず、画像読取部１２を備える単機能スキャナに適用されてもよい。
【００４８】
その他、前述の構成には、特許請求の範囲に記載された事項の範囲で種々の設計変更を施すことが可能である。
【符号の説明】
【００４９】
１：ＭＦＰ
１３：操作部
１５Ｆ：第１ＵＳＢコネクタ
１５Ｒ：第２ＵＳＢコネクタ
１６：電源回路
１７：制御部
２１：ＰＲＴ／ＦＢコントローラ
２２：ＰＤコントローラ
２３：第１経路切替部
２４：第２経路切替部
【図１】
2019147273.tif 000003
【図２】
2019147273.tif 000004
【図３】
2019147273.tif 000005
【図４】
2019147273.tif 000006
【図５】
2019147273.tif 000007
【図６】
2019147273.tif 000008
【図７】
2019147273.tif 000009